(57)【要約】  本発明は、容器、特に炭酸飲料用の容器の頸部（２５）を密閉するための密閉手段（２）を目的としている。この密閉手段は、容器の頸部（２５）の外側自由面（１７）に係合するのに適している、半径方向に変形可能な外側密閉手段（２０）を備える。この外側密閉手段（２０）は、融合部（３４）によって垂直な上端面（３５）の中へ融合する環状基部（２２）と、この環状基部（２２）の自由端に構成されて、基部（２２）の内面の上方で半径方向内側へ突出するとともに、頸部（２５）との係合位置に外側自由面（１７）との第１接触区域（３０）を形成する少なくとも１つの環状密閉リング（２３）とを備える。【選択図】  図１
2008511505.tif 000002
【特許請求の範囲】
【請求項１】
容器の頸部（２５）を密閉するための密閉手段（２）において、
ａ）前記頸部（２５）の外側自由面（１７）に係合するのに適している、半径方向に変形可能な外側密閉手段（２０）を備えており、
前記外側密閉手段（２０）が、
ｂ）略Ｐ字状の断面を有し、加えて、
ｃ）環状基部（２２）と、
ｄ）前記環状基部（２２）の自由端に構成されて、前記基部（２２）の内面から半径方向内側へ突出するとともに、前記頸部（２５）との係合位置に外側自由面（１７）との第１接触区域（３０）を形成する環状密閉リング（２３）と
を備えることを特徴とする密閉手段。
【請求項２】
前記外側密閉手段（２０）が略Ｒ字状の断面を有し、もって、融合部（３４）が前記基部（２２）に構成されているとともに、前記基部（２２）を垂直な上端面（３５）に相互結合していることを特徴とする、請求項１に記載の密閉手段。
【請求項３】
前記融合部（３４）が、当該密閉手段（２）と前記頸部（２５）との係合位置に、該頸部（２５）の縁面（２８）と前記外側密閉手段（２０）との間の第２密閉区域（３１）を形成していることを特徴とする、請求項２に記載の密閉手段。
【請求項４】
前記外側密閉手段（２０）が、前記縁面（２８）と前記融合部（３４）との間の相互作用によるものとして形成され、前記外側密閉手段（２０）は、前記環状密閉リング（２３）が前記頸部（２５）の前記外側自由面（１７）に一層確実に押し付けられるように制御可能に変形することを特徴とする、請求項３に記載の密閉手段。
【請求項５】
前記融合部（３４）が、傾斜面状の断面を有することを特徴とする、請求項３または４に記載の密閉手段。
【請求項６】
前記融合部（３４）が、凸状の断面を有することを特徴とする、請求項３または４に記載の密閉手段。
【請求項７】
前記融合部（３４）が、凹状の断面を有することを特徴とする、請求項３または４に記載の密閉手段。
【請求項８】
前記融合部（３４）が、前記縁面（２８）の半径よりも大きい半径Ｒを有することを特徴とする、請求項７に記載の密閉手段。
【請求項９】
前記外側密閉手段（２０）が、内張り材料から作り出された内張り（４６）を備えることを特徴とする、請求項１〜８のいずれか一項に記載の密閉手段。
【請求項１０】
前記外側密閉手段（２０）が、外側下向き脚（４７）に沿って垂直に（ｚ方向に）広がる内側スカート（４８）を備えることを特徴とする、請求項９に記載の密閉手段。
【請求項１１】
内張り材料から作り出された前記環状密閉リング（２３）が、前記内側スカート（４８）の端部に構成されていることを特徴とする、請求項１０に記載の密閉手段。
【請求項１２】
穴密閉部（３６）を備えることを特徴とする、請求項１〜１１のいずれか一項に記載の密閉手段。
【請求項１３】
前記穴密閉部が、内張り材料から作り出されていることを特徴とする、請求項１２に記載の密閉手段。
【請求項１４】
前記穴密閉部（３６）が、殻材料から作り出されたコアを有することを特徴とする、請求項１３に記載の密閉手段。
【請求項１５】
前記穴密閉部（３６）が、半径方向外側へ角度（α）で突出する略円錐状の基部と、前記穴密閉部（３６）の最大直径の区域に構成された環状接触面（３９）によって相互結合された略漏斗状の導入面とを有しており、前記基部が、その下部自由端に対して連続的に減少する厚さを有することを特徴とする、請求項１２〜１４のいずれか一項に記載の密閉手段。
【請求項１６】
前記穴密閉部（３６）が、略オリーブ状の断面を有することを特徴とする、請求項１２〜１４のいずれか一項に記載の密閉手段。
【請求項１７】
請求項１〜１６のいずれか一項に記載の密閉手段を備える閉鎖具（１）。
【請求項１８】
内張り材料から作り出された内張り（４６）であって、２成分射出成形法によって、殻材料から作り出された閉鎖具の外殻（４５）へ確実に接合された前記内張り（４６）を備えることを特徴とする、請求項１７に記載の閉鎖具。
【請求項１９】
請求項１〜８のいずれか一項に記載の密閉手段を備える閉鎖具（１）を容器の頸部（２５）に取り付けるための方法において、
ａ）前記閉鎖具（１）を前記頸部（２５）の上方に整合させるステップと、
ｂ）前記頸部（２５）の前記外側密閉手段（２０）と縁面（２７）との間に接触が確立されるまで、前記閉鎖具（１）を前記頸部（２５）に対して移動させるステップと、
ｃ）前記環状密閉リング（２３）が周方向に伸びるように、該環状密閉リング（２３）が前記頸部（２５）の前記外側自由面（１７）の上にすべり進み、第１密閉区域（３０）が確立されるまで、前記閉鎖具（１）を前記頸部（２５）に対してさらに移動させるステップと、
を備えることを特徴とする方法。
【請求項２０】
前記閉鎖具（１）が、前記縁面（２７）と前記融合部（３４）との間に第２密閉区域が確立されるまで、前記頸部（２５）に対して移動される、請求項１９に記載の方法。
【請求項２１】
前記縁面（２７）が、前記融合部（３４）へ押し付けられ、もって、前記環状密閉リング（２３）が前記外側自由面（１７）によって一層確実に押し付けられるように前記外側密閉手段（２０）が制御可能に変形する、請求項２０に記載の方法。
【発明の詳細な説明】
【発明の分野】
【０００１】
本発明は、閉鎖具のための密閉手段に関するものであり、特に、飲料のような液体の包装用容器における閉鎖具のための密閉手段に関するものである。さらに詳しくは、本発明は、ソフトドリンクのような炭酸飲料の容器のための密閉手段に関するものであるが、大気圧よりも高いかもしくは低い圧力状態にある中身が入れられているか、あるいはガス状成分を含んでいるか、あるいは気密閉止が必要であるガラス容器またはＰＥＴ容器のような他の容器を密閉するために良好に適合された密閉手段に関するものである。本発明は、それぞれの閉鎖具に、密閉手段を作り、且つ取り付ける閉鎖具および方法にさらに関する。
【発明の背景】
【０００２】
閉鎖具の密閉体は、通常、ポリエチレン（以下ではＰＥという）あるいはポリプロピレン（以下ではＰＰという）のようないくつかの種類のプラスチックから、または、Ｄａｒｅｘ（商標）内張り材のようなＥＶＡ基材料から製造されている。後者は主に、内張り閉鎖具の製造のために使用されており、この材料は、ＰＥほど硬くなく、また耐久性がない。低密度ＰＥ（ＬＤＰＥ）、エチレンビニルアセテート（ＥＶＡ）、あるいはポリオレフィン原材料に基づく化合物のようなより柔軟な材料が多くの場合、密閉材料として使用されている。ポリプロピレンのようなより硬質の材料は多くの場合、閉鎖具の殻材料として使用されている。
【０００３】
従来技術から、容器の密閉のための閉鎖具およびキャップへ向けられた膨大な文献が利用可能である。選ばれた範囲が次に説明される。
【０００４】
Ａｌｂｅｒｔ  Ｏｂｒｉｓｔ  ＡＧの欧州特許第００７６７７８号は、１９８２年に出願されたものであり、プラスチック材料から作られてその自由端に対して連続的に減少する厚さがある環状の外側密閉用リップを有している閉鎖キャップに関するものである。外側密閉用リップは、外側の垂直スカートとディスク状の上端部分との間の接合部の領域に配置されているとともに、斜め内方に向いている。密閉用リップは、その最小直径箇所に丸みのある密閉用部分を備える。密閉用部分の下方で、密閉用リップは漏斗のようにして外方へ広げられていて、容器の開口を受け入れるようになっている。しかしながら、密閉用リップの余儀なくされた配置のために、密閉用リップは、取り付けの間に、とりわけ容器の頸部へのねじれた取り付けの間にしばしば変形しがちである。さらに別の不利益は、傾斜した配置のためにこの密閉体が比較的硬質であり、それゆえ横方向における調整が極めて良好であるとは言えない、ということである。
【０００５】
米国特許第４４８９８４５号は、１９８４年に出願されてＡｌｂｅｒｔ  Ｏｂｒｉｓｔ  ＡＧに付与された。米国特許第４４８９８４５号は、容器の開口を閉鎖するためのねじ嵌合型キャップに関するものである。そのキャップには、キャップ上端面へ取り付けられた密閉用リップがある。外側密閉用リップの内側側壁には、容器の外壁の外径よりも大きい直径がある。内側密閉体として設計することのできる締付装置によれば、ねじ嵌合型キャップが容器にねじ嵌合されると、閉鎖具の外殻の変形によってキャップ上端面の収縮がもたらされるが、これは密閉用リップが容器の口部へ押し付けられることを意味している。このようにして、密閉用リップは、ねじ嵌合の過程の際に容器の口部に対して半径方向に押し付けられるだけである。それによって、密閉用リップの伸び過ぎおよびその材料への損傷が防止される。係合位置では、密閉用リップは、容器の開口の頸部における外側縁の周辺に係合する。１つの不利益は、閉鎖具の上記変形が広範囲の操作力に関係しているということである。さらに別の不利益は、広範囲の応力と閉鎖具の全面的な障害および製品の損失を引き起こす変形（応力亀裂）とのために破断しやすいということである。
【０００６】
１９８４年に出願されたＣｏｎｔｉｎｅｎｔａｌ  Ｗｈｉｔｅｃａｐの欧州特許第０１１４１２７号と１９８５年に出願されたＳｕｎ  Ｃｏｓｔ  Ｐｌａｓｔｉｃの欧州特許第０１７６２０５号との両方には、略Ｖ字形状に配置された２つの密閉用フラップを有する密閉体が開示されている。閉鎖具が容器に引き落とされると、フラップは、容器の口部の下方内側と頸部終了部分の外面の下方近傍側とが含まれる容器の密閉用表面区域の断面に従って変形して、容器密閉用区域と接触する効果的な密閉がもたらされる。密閉用フラップは、横方向に支持されて閉鎖具の頸部に対して押し付けられた係合位置にある。
【０００７】
１９９２年に出願されたＪａｃｏｂ  Ｂｅｒｇ  ＧｍｂＨによる欧州特許第０５２９３８３号は、容器とりわけ加圧型飲料容器のためのプラスチック製ねじ嵌合キャップに関するものである。その閉鎖具は、閉鎖具の外殻と一体に成形された環状の密閉用ストリップを備える。密閉用ストリップに隣接して、密閉用ストリップを容器の頸部の上方外縁に対して押し付けるビードが配置されている。１つの不利益が、減少した横方向調整性にある。
【０００８】
１９９６年に出願されたＳａｃｍｉ  Ｃｏｏｐｅｒａｔｉｏｎ  Ｍｅｃｃａｎｉｃｉによる欧州特許第０７７０５５９号は、圧縮成形によって作られた内張りのあるプラスチック製ねじ嵌合キャップに関するものである。その閉鎖具は、内張りを支持するように設計されて円筒状外壁に対してディスク状部分から同心に突出する環状リップを備える。環状リップは、密閉用内張りのための肩として作用し、その結果、キャップが容器へ取り付けられると、内張りは容器の口部の縁に係合する。
【０００９】
１９８２年に出願されてＣｈａｒｌｅｓ  Ａ．Ｂｒｅｓｋｉｎ  Ａｓｓｏｃ．Ｉｎｃ．へ付与された米国特許第４４８９８４４号は、炭酸飲料容器などを閉鎖するための再利用可能なキャップに関するものである。その閉鎖具は、自由端で飲料容器の頸部に密閉状に係合する取付部がその中にある雌ねじ外殻から構成されている。外殻および取付部は、相異なるプラスチック材料から構成されているとともに、同一の成形用金型の相異なる部分で射出成形される。まず、取付部が形成され、次いで、取付部をそれが形成された位置から移動させることなく外殻が形成されて、取付部の実質的部分が外殻の中に埋め込まれた一体構造が製造される。
【００１０】
１９９３年に出願されたＦｒａｎｋ  Ｓｃｈｅｌｌｅｎｂａｃｈによる米国特許第４４７６７４号は、２成分射出成形法によるプラスチック製閉鎖具の製造のための方法および金型コアに関するものである。金型コアは第１副コアと第２副コアとから構成されている。第１物質の射出の後に、一方の副コアあるいは器具要素が第１金型に対してある所定量だけ移動される。この方法の１つの不利益は、かなりの遅れを引き起こすコアの移動が、第１段階の物質が充分に凝固したときにだけ行われることである。さらに別の不利益は、閉鎖具および密閉体の幾何学的配置が金型の機能によってかなり制限されることである。さらに、別の不利益は、金型コアの移動がそれ以上可能でないため、金型密閉体が金型の下部を切り取る半径方向突出部を備えていないことである。
【００１１】
２００２年に出願されたＢｅｒｉｃａｐによる国際特許公開第０３０１１６９９号は、実質的に上端が切り取られているとともに、その基部からその自由端へ向かって収束する内側密閉用スカートを備える閉鎖具キャップに関するものである。密閉用スカートの内側は、頸部の外側と協働するように設計されている。その自由端部分へ向かう密閉用スカートの内径は、頸部の外径よりも小さく設計されている。説明されたように、この閉鎖具は、頸部の縁への内張りの取り付けまたは内張りと縁との接触を改善するように設計された環状Ｖ字切欠を備えてもよい。
【００１２】
本明細書に開示された発明の発明者から、炭酸飲料容器のための一連の閉鎖具が知られており、とりわけ国際特許公開第９９／０３７４６（１９９８）号、国際特許公開第９９／０３７４７（１９９８）号、国際特許公開第８９／１２５８４（１９８９）号、国際特許公開第０３／０２２７０１号、国際特許公開第００／５６６１６号、国際特許公開第００／５６６１５号に記載されている。これらの閉鎖具の密閉体は、一般に、環状の密閉用リブをすべて有しており、それは、初めは閉鎖具の上端部分に対して下方かつ内方へ突出し、容器の頸部への取り付けの間に裏返しにされる。
【００１３】
従来技術で既知の閉鎖具の問題点は、これらの閉鎖具の密閉体が高い内圧で機能しなくなることと、キャップの上端部分のドーム形成あるいは上昇のために内容物が漏れることである。とりわけ、主として容器の頸部の周縁面にあるいは環状上端面に密閉を施すキャップにとっては、この問題点が生じることがある。従来技術で既知の閉鎖具によく起きるさらに別の問題点は、容器の中の高い内圧による密閉体の漏れと、例えば数個の容器の積み重ねによる閉鎖具の上端面へ加えられた付加的上端面荷重とである。これについての理由は、閉鎖具の変形とそれに関連した密閉体の移動とに見出すことができる。従来技術で既知の閉鎖具のさらに別の問題点は、容器の頸部への閉鎖具のねじれた取り付けにより密閉が不良になることである。
【００１４】
本発明の１つの目的は、閉鎖具、とりわけ炭酸飲料および他の熱い液体あるいは冷たい液体のための容器に関する閉鎖具についての、容器の頸部へ、とりわけある種の不完全性あるいは損傷を有している容器の頸部へ取り付けるために改善された特性を備える密閉手段を提供することである。
【００１５】
本発明のさらに別の目的は、低いサイクルタイムおよび少ない材料消費のような製造における利点をもたらすような、かつ、高い内圧および上端面荷重でもなお耐圧性であるような、炭酸飲料および他の熱い液体あるいは冷たい液体のために適した密閉装置あるいは閉鎖具を提供することである。
【発明の概要】
【００１６】
本発明による密閉装置を備える閉鎖具は、規格化された容器頸部のある容器に係合されるのに適している。規格化された頸部には、雄ねじが設けられた外側周面がある。この外側周面は、縁面によって、容器が立てられたときに容器の上方端部を形成する環状上端面の中へ融合している。環状上端面と雄ねじとの間には、およそ１ｍｍ〜３ｍｍの長さにわたるとともに、雄ねじにより覆われておらず、かつ、密閉目的に適している外側自由面が広がっている。さらにまた、容器の頸部には、環状上端面に隣接した円筒状の内側周面がある。
【００１７】
本発明による密閉手段の他に、閉鎖具は、一般に、ディスク状上端部分のある基部と、それに隣接する外側スカートとを備えるが、外側スカートは、上記のような容器の規格化頸部の雄ねじのような対応する保持手段に係合されるのに適している雌ねじのような保持手段を備える。妥当であれば、閉鎖具は、閉鎖具の基部へ相互結合されて開口部を密閉状に閉鎖するために適しているヒンジ式の蓋を備えてもよい。
【００１８】
閉鎖具のプラスチック材料は、高密度ポリエチレン、低密度ポリエチレン、ポリプロピレンあるいはこれらの化合物であるのが好ましい。容器がガス状流動体のために使用されるところでは、そのプラスチック材料には極めて低い孔隙率があるのが好ましい。
【００１９】
本明細書に記載された密閉手段には、第１の実施形態では、基本的にＰ字状断面がある。密閉手段は、閉鎖具のディスク状上端部分から、閉鎖具の外側スカートに対して内向き放射状に所定の幅および深さのある隙間だけ距離が置かれた閉鎖具の中へ、略垂直に広がっている円筒状スカートを備える。この内側スカートは一般に、その断面に関して自立型の横方向調整可能な下向き脚の形態があり、その基部で、閉鎖具の上端部分へ直接相互結合されているのが好ましい。その反対側の下部自由端の区域では、内側スカートは、円筒状スカートの側面の上方で突出する少なくとも１つの環状密閉リングに変わっている。環状密閉リングは、閉鎖位置では、指定接触面を介して容器の頸部の外側自由面と外側から半径方向に相互作用し、それによって、この接触面は、既知の問題点、例えば生じるおそれのあるドーム形成、上部外側縁でのびん仕上げ損傷、閉鎖具の上昇の影響を減少させるために、びんの頸部の自由面の上に、できるだけ遠く下向きに配置されているのが好ましい。円筒状スカートは、環状密閉リングのための基部として作用し、また、容器の頸部のねじ付き環状密閉リングの悪い相互作用を防止する長さを有している。少なくとも１つの環状密閉リングは、それが主として環状張力によって密閉するように形成されているのが好ましい。それゆえ、この密閉手段は、容器の頸部の上に取り付けられるときに、半径方向に変形した位置にあっても自立するのが好ましい。好ましい実施形態では、内側スカートと外側スカートとの隙間は、どんな時にも密閉手段と外側スカートとの間に接触が起きないように設計される。
【００２０】
環状密閉リングは、係合位置において容器の頸部へ向かうように構成されかつ接触区域を画成する突出部を備える。谷において環状の圧力あるいは曲げ力を主として受ける従来技術で既知の密閉体との相違において、本発明による略鉛直に自立する密閉手段は、容器の頸部に取り付けられたときに環状密閉リングに生じる環状張力によって主として密閉する。この密閉手段は、容器の頸部におけるある大きさの横方向および／または半径方向のずれあるいはねじれを調整／補償することができるように設計されている。基部として作用する円筒状スカートによって、横／半径方向におけるある種の可撓性がもたらされる。閉鎖具の上端部分と環状密閉リングとの間に配置された密閉手段の基部の半径方向厚さに対する比例した比が少なくとも１：１であり、好ましくは４：１であるという点で、良好な結果が達成される。応用の分野に左右されるが、密閉手段の基部の半径方向厚さおよび形状と環状密閉リングの半径方向厚さの縦横比と、環状密閉リングの半径方向厚さに対する垂直長さの縦横比と、内側スカートと外側スカートとの間の隙間のようなさらに別の縦横比が関係している。
【００２１】
さらに別の実施形態では、密閉体には略Ｒ字状の断面があり、それによって、Ｐ字状の断面が、その内側で、閉鎖具の内側上端面の中へ融合している。前記融合部は、それが、容器の頸部の縁面があり、その縁面が融合部の上に押し付けられたときに、環状密閉リングが基部の制御された変形によって容器の外側自由面の上へ内方に引かれる、第２密閉領域を形成するように形成されている。応用の分野に左右されるが、融合部は、基部と上端面とを、半径のある凹状形状によって、あるいは傾斜面状形状によって、あるいは外方へ局部的に突出する凸状形状によって、スムーズに相互結合する。
【００２２】
好ましい実施形態では、環状密閉リングの半径方向厚さと基部との間の縦横比は、２：１〜３：１の範囲にある（応用の分野によっては、他の縦横比が適切であり得る）。環状密閉リングの垂直自由長さとその半径方向厚さとの間の縦横比は、１：１〜４：１の範囲にある。応用の分野によっては、他の縦横比が適切である。環状密閉リングの断面の形状と環状密閉リングの基部に対する接触面の偏心率とは、応用の分野についてさらに別の関連があるものであるが、それは、これらのパラメータによって環状張力の分布が影響を受けるからである。
【００２３】
密閉手段の基部の形状および整合は、密閉手段の性能と物理的作用に関連がある。例えば、密閉手段の基部が閉鎖具の上端に対してある角度で傾斜している（円錐状に）ときには、容器の開口部（開口）へ閉鎖具をポンと取り付けることは一層困難になり、また、不整合による障害が一層起こりやすい。この１つの理由は、力の分布および密閉体の最初の拡大作業が一層困難になることである。
【００２４】
密閉手段および閉鎖具の好ましい実施形態は、多成分金型の中において２成分射出成形法でそれぞれ射出成形処理によって行われ、それによって、第１プラスチック材料が液体状態で第１空隙の中へ金型空隙のコアまで射出され、そこでその第１材料が内張り凝固体を形成する点で、密閉用内張りが作られる。その後、内張りは、第１コアに対して第２空隙位置の中へ移動され、そこでは、閉鎖具の外殻のための第２材料が第２空隙の中へ射出される。密閉用内張りの材料と外殻の材料とは、それによって互いに一体に結合される。
【００２５】
この製造処理を最適化するためには、第１コアに接触しない密閉用内張りの空隙における区域は、この密閉用内張りが保持力によることなく第１空隙から取り出すことができるように形成されているのが好ましい。従って、移動方向あるいはコアに対して主として垂直に広がっている阻止用アンダーカットは回避される。説明された射出成形処理によって、内張り材料と殻材料との間に確実な接合が得られる。加圧成形処理によって作られた従来技術で既知のような２成分閉鎖具との違いは、本明細書に開示された発明によって一層信頼性のある密閉体が得られることである。閉鎖具の殻が第１に作られて密閉用内張りが第２に作られる、加圧成形によって作られた閉鎖具を取り出すときに典型的に起きる問題は、本明細書に記載された発明では生じない。外殻は、ポリプロピレン（ＰＰ）あるいは高密度ポリエチレン（ＨＤＰＥ）から作られるのが好ましく、それによって、内張りは、ＥＶＡ、ＬＤＰＥ、あるいはポリオレフィン系原材料に基づいた複合材料から形成することができる。閉鎖具のこの実施形態は、容器の頸部のねじ部と環状上端面との間に構成された雄ねじのない円筒状外周面と相互作用する密閉手段を備える。
【００２６】
容器の頸部を密閉するための密閉手段の好ましい実施形態は、頸部の外側自由面に結合するのに適しており、それによって、略Ｐ字状の断面に環状基部を有している、半径方向に変形可能な外側密閉手段と、環状基部の自由端に構成され、同基部の内面の上方で半径方向内方へ突出し、頸部との係合位置に前記外側自由面との第１封止区域を形成する環状封止リングとを備える。
【００２７】
さらに好ましい実施形態では、封止手段は、一般にＲ字状の断面のある外側密閉手段を有する。基部には融合部が構成されていて、基部が閉鎖具の垂直上端面へ相互結合されている。この融合部は、密閉手段と頸部との係合位置に、また、頸部の縁面と外側密閉手段との間の第２密閉区域に設けることができる。外側密閉手段は、その縁面とその融合部との間の相互作用によって外側密閉手段が制御可能に変形し、環状密閉リングが頸部の外側自由面に一層確実に押し付けられるように、形成することができる。融合部には、応用の分野に左右されるが、異なった形状、例えば傾斜面状断面、凸状断面あるいは凹状断面があってもよい。融合部がスムーズな相互結合部として設計されているときには、容器の頸部における縁面の半径よりも大きい半径Ｒがあるのが好ましい。
【００２８】
密閉手段のさらに別の実施形態では、閉鎖具はそれぞれ、内張り材料から作り出された内張りを備えていてもよい。それによって、内張りは、外側下向き脚に垂直に沿って広がる内側スカートを備える。内張り材料から作り出された環状密閉リングが、内側スカートの端部に構成されていてもよい。
【００２９】
加えて、密閉手段は穴密閉部を備え、それによって、穴密閉部が内張り材料から作り出され、かつ、殻材料から作り出されたコアを有していてもよい。
【００３０】
本発明による密閉手段および閉鎖具は、好ましい実施形態によって一層詳しく説明される。
【好ましい実施形態の詳細な説明】
【００３１】
図１は、本発明による、密閉手段２を備える閉鎖具１を下方からの等角側面図で示しており、また、図２は、同一の閉鎖具１を上方からの遠近法的側面図で示している。閉鎖具１は外側スカート３を備え、それはディスク状上端部分４から略垂直に広がっている。外側スカート３には、その外面に、閉鎖具を操作するときに一層良好な把持力をもたらす、垂直に構成されたローレット５がある。外側スカート３の内側はねじ６を備え、ねじ６はねじ区分７からなっている。外側スカートは、その下端でタンパーバンド８へ相互結合されている。表示された実施形態のタンパーバンド８には、閉鎖具の外側スカート３と略同一の外径がある。タンパーバンド８の内側にはアンダーカット区分９があり、それは、半径方向内側へ突出しているとともに、略球状の下部１０を有している。この閉鎖具を容器（図示略）頸部に取り付ける際に、球状のアンダーカット区分によって、容器の頸部に対する密閉手段の芯合わせと整合とが維持される。これによって、傾斜取付による障害は著しく減少することができる。アンダーカット区分９の上方には、タンパーバンド８の内面１５の上方で半径方向に突出する芯合わせ要素１１が構成されていて、これらは、閉鎖具の軸ｚに整合しているとともに、閉鎖具１を容器の頸部のロック用ビードに対して芯合わせするのに役立つ。これによって、閉鎖具１の開放の際におけるタンパーバンドの傾斜は減少する。
【００３２】
タンパーバンド８は、閉鎖具１を最初に開放する際に破壊される、壊れやすいブリッジ１２によって、閉鎖具１の外側スカート３へ相互結合されている。タンパーバンド８は隙間１３によって閉鎖スカート３から間隔が置かれている。ブリッジ１２は、示された実施形態では、ブリッジ１２の長さにわたって広がるくぼみ１４の中に構成されており、それによって、閉鎖具１の取り付けの際におけるブリッジ１２の望ましくない破壊を防止するのに役立っている。
【００３３】
図３は、閉鎖具１のさらに別の実施形態を側面図で示している。この閉鎖具１は、閉鎖具１のスカート３よりも一般に小さい外径のあるタンパーバンド８を備える。タンパーバンド８は、閉鎖具１の放出の際における接触点として適切である肩１６を備える。ブリッジ１２は、くぼみ１４の中に構成された、図１および図２による閉鎖具に類似している。線ＡＡに沿った横断面図が図４に示されている。
【００３４】
図４は、図３の線ＡＡに沿った閉鎖具１および密閉手段２の横断面図を示しており、図５は、図３の密閉手段２の細部Ｂを拡大して示している。図５では、容器の頸部２５（破線）が模式的に表示されている。示された実施形態の密閉手段２は、変形されていない状態で表示されており、また、外側側方密閉部２０と、閉鎖具１のディスク状上端部分４の内面から閉鎖具１の内側へ略垂直に突出するとともに、閉鎖位置で頸部２５の環状端面２７と相互作用するように構成された略Ｖ字状の上端密閉部２１とを備えている。側方密閉部２０には、略Ｐ字状の断面があり、また、基部２２と環状密閉リング２３とを備えるが、環状密閉リング２３は、ねじ２６の上方におけるねじのない区域において半径方向内方へ横断状に突出している。側方密閉部２０は、外側スカート３に対して半径方向に間隔を置いて構成されている。示された実施形態では、変形していない段階にある環状隙間２４が、略平行な側壁において、閉鎖具１の側方密閉部２０と外側スカート３との間に垂直に広がって、側方密閉部２０の外側自由長さＬを画成している。環状隙間２４の厚みは、環状密閉リング２３と基部２２とが半径方向ｒ＋に自由に広がるとともに、閉鎖具が頸部５の上に取り付けられるように、選択されている。側方密閉部２０の基部２２の垂直長さＬはここでは、環状密閉リング２３が、示された実施形態において、容器の雄ねじ２６の開始点のすぐ上方で頸部２５の外側垂直面１７の自由長さの下方に沿ってできるだけ離れて構成されるように、選択されている。接触区域は、ねじの開始点によって左右されるがＰＥＴ容器の上であり、典型的には、頸部の環状端面の下方の約０．５ｍｍ〜２ｍｍに位置している。このような構成によって、閉鎖具１のドーム形成あるいは他の変形の影響は、密閉体２がより信頼性のあるものになるように、最小限にすることができる。側方密閉部２０の、横方向に可撓状調整可能で垂直方向に剛性がある基部２２によれば、容器の頸部に中心がとりわけ半径方向にずれている側方密閉部２０をポンと取り付けるときであっても、環状密閉リング２３を横方向に調整することができる、ということが保証される。環状密閉リング２３のその基部２２にわたる半径方向突出量ｐは、頸部２５との干渉に関連している。半径方向密閉力を得るために、環状密閉リング２３の内径Ｄは容器の頸部の外径Ｄａよりも小さい。妥当であれば、密閉手段２の頸部２５に対する垂直位置は、付加的な止め要素によって規定される。
【００３５】
図６は、閉鎖具１のさらに別の実施形態を側面図で示しており、図７は、図６の線ＣＣに沿った閉鎖具の横断面図を示しており、図８は、図７の細部Ｄを拡大して示している。閉鎖具１の全体構成は、図１〜図５によって説明されたような閉鎖具に対応している。従って、外側スカート、タンパーバンドおよびねじのような類似した細部の説明は再び繰り返さないし、また、参照はこれらの図面へ行われる。
【００３６】
図８に認められるように、密閉手段２の、本明細書に示された実施形態において略Ｒ字状の断面がある側方密閉部２０は、外側スカート３に対して半径方向に間隔を置いて構成されている。変形していない段階にある環状隙間２４が、略平行な側壁において、閉鎖具１の側方密閉部２０と外側スカート３との間に垂直に広がっている。環状隙間２４は、環状密閉リング２３と基部２２とが少なくとも初めは半径方向ｒに自由に変形するとともに、密閉他が頸部５（破線によって摸式的に表示されている）の上に取り付けられるように、選択されている。側方密閉部２０の基部２２の垂直長さＬは、環状密閉リング２３が、示された実施形態において、雄ねじ２６の開始点のすぐ上方で頸部２５の外側垂直面の自由長さ１７の下方に沿ってできるだけ離れて構成されるように、選択されている。取り付けられた位置では、環状密閉リング２３が横方向伸びのために頸部２５の外側自由面１７に対して押し付けられるように、第１密閉区域３０が密閉手段２と頸部２５との間に作り出されている。基部２２は、ここでは半径Ｒがある融合部３４によって、閉鎖具１の垂直上端面３５の中へ融合していることがわかる。融合部３４は、それが、閉鎖位置において、頸部２５の外側自由面１７と環状上端面２７とを相互結合する縁面２８に密に接触するという点で、第２密閉区域／接触領域３１を形成するように、形成されている。半径Ｒは、精密な相互作用区域が決定されるように、縁面２８の半径よりも一般に大きい。密閉手段２を頸部２５へ取り付ける際に、外側密閉部２０の環状密閉リング２３はまず、頸部２５の環状上端面２７および／または縁面２８に接触する。さらに取り付けが進むと、環状密閉リング２３は、それが頸部２５の外側自由面１７の上へすべり進むまで周方向へ伸ばされて、第１接触区域３０を確立する。さらに環状密閉リング２３の取り付け手順が進むと、融合部３４が頸部２５の外側縁面２８に接触して第２接触区域３１を確立するようになるまで、第１接触区域３０は、頸部２５の外側自由面１７に沿ってすべり落ちる。その縁面が、矢印Ｆで模式的に表示されたように、外側密閉部２０の内側谷（融合部３４）に押し付けられるという点で、幾何学的形態のために、閉鎖具の制御された変形によって、環状密閉リング２３が、内方へ引かれ（矢印ｒｐで模式的に表示されている）、それによって、密閉性能が改善されるように外側自由面１７に対して一層確実に押し付けられる、ということが達成される。このような第１および第２の接触区域どうしの間における機能的相互結合は、矢印ａで模式的に表示されている。外側密閉部２０の基部２２は、第２接触区域３１が確立される前には横方向に調整することができ、また、第２接触区域３１が確立されると、その機能的相互結合によって、最終位置にロックされる。それによって、密閉装置２の取り付けに際して、第２接触区域３１が確立される前に、図３〜図５によって説明されたような実施形態のすべての利点が維持されることと、最終位置において、第２接触区域３１が確立されて外側密閉部２０がそれによってロックされると、さらに改善された全体の密閉性能が得られることとが、達成される。
【００３７】
環状密閉リング２３は基部２２の内側側面の上方に局部的に突出していることがわかる。突出部３３は、示された実施形態では、略円形の断面にあり、環状密閉リング２３と外側自由面１７との間に適切な第１接触区域を形成しているとともに、アンダーカットされた成形品の取り出しも可能にしている。環状密閉リング２３は、外側密閉部２０と頸部２５との間に第１接触部を確立するのに適しているとともに、それが外側自由面１７の上へ容易にすべり進むように環状密閉リング２３のための傾斜面として作用する漏斗状第１導入部を面２９にさらに備える。
【００３８】
示された密閉手段２には、閉鎖位置において頸部２５の開口部の中へ達する穴密閉部３６がさらに設けられている。穴密閉部３６は、その谷から広がっている略円錐の形状をしており、その谷では、閉鎖具１のディスク状上端部分４へ、その自由端に対して半径方向外側へ角度αをなして、相互結合されている。穴密閉部３６の基部３７の断面は、その頂点を自由端の領域に有している、角度βで略Ｖ字状である。穴密閉部３６は、頸部２５の開口部の中への穴密閉部３６の容易な差し込みを保証する漏斗状第２導入部を面３８にさらに有する。面３８における第２導入部に隣接して、穴密閉部には、ここでは環状の接触面３９が設けられていて、それにより、閉鎖位置で、密閉手段２と頸部２５の内側側面４１との間に第３接触区域３２が形成されている。密閉手段２は、変形していない段階において示されているとともに、頸部２５の幾何学的形態との重なりに起因していることがわかる。しかしながら、閉鎖具の材料の弾性変形性のために、頸部２５への操作の間に閉鎖具１が調整される、ということは明らかである。穴密閉部３６の谷径Ｄｒは、穴密閉部３６がその基部の区域において閉鎖具の頸部に相互作用しないように選択される。環状密閉手段２０を頸部２５へ取り付ける際に、穴密閉部３６は、それが頸部２５の開口部の内径Ｄｉへ適合するように、方向ｒ−に内方へ曲げられる。本明細書に記載された本発明の実施形態では、閉鎖位置で確立された第３接触区域３２は、外側密閉部２０の第１接触区域３０と略同一の垂直高さ（ｚ軸）で構成されている。このような同一高さでの配置によって、頸部２５は確実に保持されて、緊密度と密閉性能とが増大することになる。閉鎖具のこの曲がり角は、第３接触区域３２と穴密閉部３６の谷との間の距離に相当する有効長Ｌｂによって調整することができる。より大きい曲がり角を得るためには穴密閉部３６の有効長Ｌｂは増大され、下部曲がり角を減少させるためには、それは減少される（この曲がり角は閉鎖具が曲がりの起きるまで回転される角度に相当する）。応用の分野に左右されるが、穴密閉部はなしですますことができる。
【００３９】
密閉手段がその区域にあるいは中間上端面３５に隣接して設けられているときには、略Ｖ字状の突出部（詳しくは示されていない）が、上端密閉部（第４接触区域／密閉領域）を形成するとともに、閉鎖位置で頸部２５の環状上端面２７と相互作用する。
【００４０】
図９は、２成分射出成形法によって作られた本発明による密閉装置を備える閉鎖具１のさらに別の実施形態を側面図で示している。図１０は、図９に係る閉鎖具の線ＥＥに沿った横断面図を示しており、図１１は、図１０の細部Ｆを拡大して示している。
【００４１】
図９〜図１１に示されたような密閉手段の最良の製造方法は、本明細書に開示された発明と同一の発明者の国際特許出願ＰＣＴ／ＥＰ２００５／０５１５５９号に充分詳しく説明されており、その内容は完全にかつすべての実施形態とともに、この特許出願の中へ組み入れられる。
【００４２】
さて、注目は図１１へ向けられる。図１１に示されたような密閉手段２の断面および機能は、図８に示された密閉手段に対応しているが、ただ１つの違いは、密閉手段２がここでは２つの材料（殻材料および内張り材料）から作り出されていることである。それゆえ、機能については、図８とそれに付属している説明とが参照される。
【００４３】
先の図１〜図８に記載された閉鎖具との相違点については、図９〜図１１による閉鎖具の密閉手段２が、好ましくは２成分射出成形法によって２つの材料から作り出されていて、殻材料から作り出された外殻４５（ディスク状上端部分４および外側スカート３）と、密閉される容器の中に収納された商品に触れるすべての面がここでは覆われている内張り材料から作られた密閉用内張り４６とを備えることである。閉鎖具１の外殻２は、ポリプロピレン（ＰＰ）あるいは高密度ポリエチレン（ＨＤＰＥ）から作り出されているのが好ましく、それによって、密閉用内張り４６は、Ｄａｒｅｘ（商標）のような一層柔軟な内張り材料から形成されているのが好ましい。外殻４５および密閉用内張り４６は、本明細書に示されたように、密閉手段２の安全な取り付けおよび位置決めが可能になるよう、それらの境界面４９、５０に沿って互いに確実に接合されている。
【００４４】
密閉手段２０の基部２２は、殻材料から作り出された外側下向き脚４７を備え、これは内張り材料から作り出された内側スカート４８を支持している。下向き脚４７は、内張り材料から部分的に作られて基部２２の端部に横方向にかつ垂直方向に配された内側スカート４８および環状密閉リング２３を支持し、固定する。内張り４６は、それが閉鎖具１の内側上端面３５に沿ったｘｙ方向に広がり、次いで外側下向き脚４７に沿って（ｚ方向へ）下がるように、形成されていることがわかる。内側スカート４８は融合部３４によって垂直上端面３５の中へ融合している。内側スカート４８および内側基部２２は、変形していない状態で示されているが、頸部への閉鎖具の取り付けの際には半径方向外側へ広がる。封内張り４６の外側下向き脚４７と示された実施形態の内側スカート４８との間における垂直境界面４９は、一般にまっすぐであり、また、第１段階における成形の後に内張り４６が容易に取り出されるように、わずかに先細である。応用の分野に左右されるが、境界面は、外側密閉部２０の下端が殻材料から完全に作り出されていて外側下向き脚４７によってその下端においてだけ支持されるように、線ｓによって表示されたような異なった形状であってもよい。
【００４５】
図８に関して説明されたように、密閉手段は、その区域にあるいは中間上端面３５に隣接して、略Ｖ字状の突出部（詳しくは示されていない）を備えてもよく、それは、上端密閉部（第４接触区域）を形成するとともに、閉鎖位置で頸部２５の環状上端面２７と相互作用する（図８を参照）。
【００４６】
密閉手段２は、示された実施形態では、図６〜図８に示された実施形態とは異なり、略オリーブ状の断面がある穴密閉部３６をさらに備える。密閉部３６は内張りディスク４６の中へ一体化されていることがわかる。妥当であれば、穴密閉部３６は、増大した横方向支持を得るために、殻材料から作り出された部分を備えてもよい。代わりに、あるいは加えて、穴密閉部は横向きリブ（詳しくは示されていない）によって支持することができる。
【図面の簡単な説明】
【００４７】
【図１】密閉手段を備える閉鎖具を下方からの斜視図で示している。
【図２】図１に係る閉鎖具を上方からの斜視図で示している。
【図３】第１の実施形態の密閉手段を備える閉鎖具を側面図で示している。
【図４】図３に係る閉鎖具の線ＡＡに沿った横断面図を示している。
【図５】図４の細部Ｂを示している。
【図６】第２の実施形態の密閉手段を備える閉鎖具を側面図で示している。
【図７】図６に係る閉鎖具の線ＣＣに沿った横断面図を示している。
【図８】図７の細部Ｄを示している。
【図９】第３の実施形態の密閉手段を備える閉鎖具を側面図で示している。
【図１０】図９に係る閉鎖具の線ＥＥに沿った横断面図を示している。
【図１１】図１０の細部Ｆを示している。
【図１】
2008511505.tif 000003
【図２】
2008511505.tif 000004
【図３】
2008511505.tif 000005
【図４】
2008511505.tif 000006
【図５】
2008511505.tif 000007
【図６】
2008511505.tif 000008
【図７】
2008511505.tif 000009
【図８】
2008511505.tif 000010
【図９】
2008511505.tif 000011
【図１０】
2008511505.tif 000012
【図１１】
2008511505.tif 000013
【国際調査報告】
2008511505.tif 000014
2008511505.tif 000015